(57)【要約】【課題】製氷板を効率的に加熱して除氷効率の向上を図る。【解決手段】除氷水散水器５２は、製氷板１０,１０の裏面と対向する第１壁部６２および第２壁部６４に、該製氷板１０,１０の裏側へ開放する突条部１２に向け開口して、該除氷水散水器５２に供給された除氷水を該突条部１２に向けて噴出させる散水口６８を備える。前記角散水口６８は、突条部１２における裏側に開口する横幅Ｗより横長に開口している。前記散水部６８の開口面積は、除氷水散水器５２の一方の端部に設けられた取水口６０から遠ざかるに従って漸次大きくなるよう設定されている。【選択図】図３
2011231943.tif 000002
【特許請求の範囲】
【請求項１】
縦向きに配設され、上下方向へ延在して表側へ突出すると共に裏側へ開放する複数の突条部(12)が横方向へ所定間隔毎に複数設けられた製氷板(10)と、前記製氷板(10)の裏側に横方向に延在して設けられ、隣り合う前記突条部(12)の間に設けた各製氷部(14)の裏側で製氷板(10)に接する蒸発管(20)と、前記製氷板(10)の裏側上部に横方向へ延在して設けられ、外部水源から除氷水が供給される除氷水散水器(52/70)とを備え、前記除氷水散水器(52/70)から前記製氷板(10)の裏側に除氷水を供給して、前記各製氷部(14)の前記蒸発管(20)により冷却された部位に生成されて該突条部(12)を跨いで横方向に繋がった氷塊(S)の該製氷板(10)からの離脱を促進する流下式製氷機の製氷ユニットにおいて、
前記除氷水散水器(52/70)は、
前記製氷板(10)の裏面と対向する壁部(62,64)に、前記突条部(12)に向け開口して、該除氷水散水器(52/70)に供給された除氷水を該突条部(12)に向けて噴出させる散水部(68/74)を備えた
ことを特徴とする流下式製氷機の製氷ユニット。
【請求項２】
前記散水部(68/74)は、前記突条部(12)における裏側に開口する横幅(W)より横長に開口している請求項１記載の流下式製氷機の製氷ユニット。
【請求項３】
前記除氷水散水器(52)は、横長の管状に形成されて横方向へ水平に配設されると共に、横方向における一方の端部に除氷水の取水部(60)を備え、
前記突条部(12)に向け開口する前記散水部(68)の開口面積は、前記取水部(60)から遠ざかるに従って漸次大きくなるよう設定されている請求項１または２記載の流下式製氷機の製氷ユニット。
【請求項４】
前記除氷水散水器(70)は、横長の管状に形成されて横方向へ水平に配設されると共に、横方向における一方の端部に除氷水の取水部(60)を備え、
前記突条部(12)に向け開口する前記散水部(74)における当該除氷水散水器(70)の底部からの開口高さ位置は、前記取水部(60)から遠ざかるに従って漸次低くなるよう設定されている請求項１または２記載の流下式製氷機の製氷ユニット。
【発明の詳細な説明】
【技術分野】
【０００１】
この発明は、製氷板の裏側に除氷水を供給することで、製氷運転により前記製氷板の表側に生成された氷塊の該製氷板からの離脱を促進する流下式製氷機の製氷ユニットに関するものである。
【背景技術】
【０００２】
氷塊を自動的に製造する製氷機として、大量の氷塊を低コストで生成し得る流下式製氷機が知られている(例えば、特許文献１参照)。この流下式製氷機は、断熱箱体の内部に貯氷室が画成されると共に、氷塊を生成する製氷ユニットを該貯氷室の上方に備えており、製氷ユニットで生成した氷塊を貯氷室に放出落下するようになっている。図８および図９は、流下式製氷機に装備された製氷ユニットの一例を概略的に示す斜視図である。この製氷ユニットＦＵは、垂直または略垂直な姿勢で間隔をあけて対向配置した一対の製氷板１０,１０と、両製氷板１０,１０の対向面間に配設した蒸発管２０と、両製氷板１０,１０の直下に設けられた製氷水タンク２６と、両製氷板１０,１０の上方に配置して、製氷水および除氷水を両製氷板１０,１０に供給する散水装置３０とを備えている。
【０００３】
各製氷板１０は、図８および図９に示すように、例えばステンレス鋼板等を折曲成形したもので、同一に構成されて蒸発管２０を挟んで対称な関係で設置されており、上下方向へ延在して横方向へ所要間隔毎に設けられた複数の突条部１２を有し、横方向で隣り合う突条部１２,１２の間に、上下方向へ延在する製氷部１４が画成されている。各突条部１２は、他方の製氷板１０から離間する表側へは凸状となっていると共に、裏側が他方の製氷板１０に向け開口した凹状となっており、平面視において略Ｖ字形を呈している。すなわち各製氷板１０は、平面視において山形の突条部１２と製氷部１４とが横方向へ交互に連なるジグザグ形状に形成されている。蒸発管２０は、図示しない冷凍装置の一部を構成し、図８および図９に示すように、複数の直管部２２および曲管部２４を有する蛇行状に形成されており、横方向に延在して上下方向に離間する各直管部２２を両製氷板１０,１０の間に位置させると共に、曲管部２４を製氷板１０の側部に位置させた状態で設置されている。製氷水タンク２６は、製氷板１０の表側から落下した製氷水や該製氷板１０の裏側から落下した除氷水を回収すると共に、所定量の製氷水を貯留し得るトレー形態とされ、散水装置３０の製氷水供給器３２に製氷水を供給する送水ポンプ２８を備えている。
【０００４】
前記散水装置３０は、前記製氷水タンク２６から圧送された製氷水を下方へ散水する製氷水供給器３２と、この製氷水供給器３２と製氷板１０の上部との間に設置され、該製氷水供給器３２から散水された製氷水を各製氷部１４の上方に案内する傾斜案内面３８を備えた散水案内器３６と、両製氷板１０,１０の裏側上部に設置され、外部水道水を除氷水として製氷板１０の裏側に散水する除氷水散水器４０とを備えている。製氷水供給器３２は、図８および図９に示すように、製氷板１０の横方向全体に亘って延在する長尺な角筒中空部材であり、両製氷板１０,１０の各製氷部１４に製氷水を供給する給水孔３４,３４が形成されている。除氷水散水器４０は、図８および図９に示すように、製氷板１０の横方向全体に亘って延在する長尺な角管状の中空部材であり、その底部４２に、横方向(長手方向)へ所要間隔毎に散水孔４４が形成されている。そして、横方向の一方の端部には取込口４６が設けられ、外部水道源に接続する給水パイプ４８が接続されている。
【０００５】
前述のように構成された流下式製氷機の製氷ユニットＦＵは、製氷運転に際しては、蒸発管２０に冷媒を供給すると共に、製氷水タンク２６に貯留されている製氷水を、送水ポンプ２８の駆動により送水パイプ２９を介して製氷水供給器３２へ供給する。製氷水供給器３２内に供給された製氷水は、各給水孔３４から下方へ噴出した後に散水案内器３６により各製氷板１０,１０における対応の製氷部１４の上方へ供給される。そして、製氷部１４の表面に沿って流下する製氷水は、該製氷部１４の蒸発管２０により冷却された各製氷位置において徐々に氷結し始め、所要の製氷運転時間の経過後に氷塊Ｓが生成される。一方、製氷ユニットＦＵは、除氷運転に際して、蒸発管２０にホットガスを供給すると共に、外部水道源からの除氷水を除氷水散水器４０に供給する。除氷水散水器４０内に供給された常温の除氷水は、各散水孔４４から噴出して各製氷板１０,１０の裏側に散水されて製氷板１０の裏側に適宜接触するようになり、製氷部１４からの氷塊Ｓの離脱を促進する。なお、製氷板１０の裏側から流下した除氷水は、製氷水タンク２６に回収されて次回の製氷運転の製氷水として用いられる。
【先行技術文献】
【特許文献】
【０００６】
【特許文献１】特開平７−３１０９６６号公報
【発明の概要】
【発明が解決しようとする課題】
【０００７】
ところで、前述した従来の製氷ユニットＦＵにおける前記除氷水散水器４０は、図９に示すように、管状をなす壁部における底部４２に、前記散水孔４４が下向きに開口形成されている。従って、除氷水散水器４０に供給された除氷水は、各散水孔４４から蒸発管２０における最も上に位置する直管部２２に向けて噴出する。そして、蒸発管２０の最も上に位置する直管部２２に向けて散水された除氷水は、各突条部１２の裏側において該直管部２２の外周面を伝って流下した後、その下に位置する上から２番目の直管部２２へ流れて該直管部２２の外周面を伝って流下し、更にその下に位置する上から３番目の直管部２２へ流れるようになる。すなわち、除氷水散水器４０から噴出した除氷水の殆どは、蒸発管２０の各直管部２２と接触しながら流下するだけで製氷板１０には殆ど接触していないから、該除氷水と製氷板１０との熱交換が効率よく行なわれず、氷塊Ｓの製氷板１０,１０からの離脱の促進に該除氷水が寄与しない問題を有している。しかも、ホットガスで加熱されている蒸発管２０に常温の除氷水が接触するので該蒸発管２０の温度が低下してしまい、ホットガスによる製氷板１０の加熱効率が低下して除氷効率が悪化する問題もある。
【０００８】
また前記各突条部１２は、裏側が開放した凹状であるから蒸発管２０に接触しておらず、前述したように除氷水も殆ど接触しないので、除氷運転時に加熱され難い。特に、図８および図９に示すように、各製氷部１４で生成される氷塊Ｓが、突条部１２を跨いで横方向に繋がった状態で生成する流下式製氷機の場合は、該氷塊Ｓの繋がった部分の融解が促進されないから、各氷塊Ｓが離脱され難い問題もある。
【０００９】
そこで本願は、従来の流下式製氷機の製氷ユニットに内在する前記問題に鑑み、これらを好適に解決するべく提案されたものであって、製氷板を効率的に加熱して除氷効率の向上を図った流下式製氷機の製氷ユニットを提供することを目的とする。
【課題を解決するための手段】
【００１０】
前記課題を克服し、所期の目的を達成するため、本願の請求項１に係る発明は、縦向きに配設され、上下方向へ延在して表側へ突出すると共に裏側へ開放する複数の突条部が横方向へ所定間隔毎に複数設けられた製氷板と、前記製氷板の裏側に横方向に延在して設けられ、隣り合う前記突条部の間に設けた各製氷部の裏側で製氷板に接する蒸発管と、前記製氷板の裏側上部に横方向へ延在して設けられ、外部水源から除氷水が供給される除氷水散水器とを備え、前記除氷水散水器から前記製氷板の裏側に除氷水を供給して、前記各製氷部の前記蒸発管により冷却された部位に生成されて該突条部を跨いで横方向に繋がった氷塊の該製氷板からの離脱を促進する流下式製氷機の製氷ユニットにおいて、
前記除氷水散水器は、
前記製氷板の裏面と対向する壁部に、前記突条部に向け開口して、該除氷水散水器に供給された除氷水を該突条部に向けて噴出させる散水部を備えたことを特徴とする。
【００１１】
請求項１に係る発明によれば、除氷水散水器の散水部から噴出した除氷水が製氷板における突条部の裏面へ散水されるから、該突条部が除氷水により効率よく温められる。従って、製氷部で生成された氷塊の突条部に接触した部分と該突条部の凍結が解除され、製氷板からの氷塊の離脱が促進される。特に、突条部を跨いで横方向に繋がった氷塊においては、該氷塊と突条部との凍結を効率よく解除することができ、除氷運転の短縮を可能とし得る。また、除氷水が蒸発管に殆ど接触せずに突条部の裏面を流下するので、ホットガスにより加熱された該蒸発管が除氷水により冷やされないから、除氷効率が低下するのを防止し得る。
【００１２】
請求項２に係る発明では、前記散水部は、前記突条部における裏側に開口する横幅より横長に開口していることを要旨とする。
従って、請求項２に係る発明によれば、除氷水散水器を製氷板の裏側に配設した際に、該製氷板に対して除氷水散水器の配設位置が横方向にずれてしまっても、散水部を突条部の裏側へ開口させた状態とし得る。また、除氷水散水器の散水部が突条部の横幅全体に開口しているから、該突条部の裏面が該散水部に臨んでおり、散水部から噴出した除氷水が、突条部の裏面に表面張力により吸い付けられて該裏面の全体に広がって分散して流下するようになり、該突条部の全体を均一に温めることができる。
【００１３】
請求項３に係る発明では、前記除氷水散水器は、横長の管状に形成されて横方向へ水平に配設されると共に、横方向における一方の端部に除氷水の取水部を備え、
前記突条部に向け開口する前記散水部の開口面積は、前記取水部から遠ざかるに従って漸次大きくなるよう設定されていることを要旨とする。
従って、請求項３に係る発明によれば、除氷水散水器内における除氷水の水位が、取水部から遠ざかるにつれて低くなるので、取水部の開口面積を取水部から遠ざかるに従って漸次大きくなるように設定することで、該取水部から遠い位置の散水部からも除氷水を確実に噴出させることができる。そして、各散水部からの除氷水の散水量を均一にし得るので、各突条部を均一に温めることができる。
【００１４】
請求項４に係る発明では、前記除氷水散水器は、横長の管状に形成されて横方向へ水平に配設されると共に、横方向における一方の端部に除氷水の取水部を備え、
前記突条部に向け開口する前記散水部における当該除氷水散水器の底部からの開口高さ位置は、前記取水部から遠ざかるに従って漸次低くなるよう設定されていることを要旨とする。
従って、請求項４に係る発明によれば、除氷水散水器内における除氷水の水位が、取水部から遠ざかるにつれて低くなるので、取水部の開口高さ位置を取水部から遠ざかるに従って漸次低くなるように設定することで、該取水部から遠い位置の散水部からも除氷水を確実に噴出させることができる。そして、各散水部からの除氷水の散水量を均一にし得るので、各突条部を均一に温めることができる。
【発明の効果】
【００１５】
本発明に係る流下式製氷機の製氷ユニットによれば、製氷板の全体が効率的に加熱されるので、除氷効率の向上が図られる。
【図面の簡単な説明】
【００１６】
【図１】図２のＩ−Ｉ線断面図であって、第１実施例の製氷ユニットの要部を示している。
【図２】第１実施例の製氷ユニットにおける除氷水散水器を、製氷板を一部破断すると共に散水案内器を省略して示す説明図である。
【図３】突条部を設けた製氷板および該製氷板の上部に配設した除氷水散水器を示す斜視図である。
【図４】除氷水散水器の本体部材および該本体部材に設けた開口を示す斜視図である。
【図５】除氷水散水器の散水口が突条部の横幅全体に亘って開口していることで、該散水口から噴出する除氷水が、突条部の裏面に表面張力により吸い付けられて該裏面の全体に広がることを示す説明図である。
【図６】第２実施例の製氷ユニットにおける除氷水散水器を、製氷板を一部破断すると共に散水案内器を省略して示す説明図である。
【図７】変更例の製氷ユニットにおける除氷水散水器を、製氷板を一部破断すると共に散水案内器を省略して示す説明図である。
【図８】流下式製氷機の製氷ユニットを概略的に示す斜視図である。
【図９】図８のIX−IX線断面図であって、従来の除氷水散水器の構成を示している。
【発明を実施するための形態】
【００１７】
次に、本発明に係る流下式製氷機の製氷ユニットにつき、好適な実施例を挙げて、添付図面を参照して以下に説明する。実施例では、図８および図９に示した従来の製氷ユニットＦＵの構成要素と同一の要素については、同一の符号を使用して詳細な説明は省略する。なお、製氷板１０の表側とは、氷塊Ｓを生成する側をいい、裏側とは製氷板１０を冷却する蒸発管２０が配設される側をいう。
【実施例】
【００１８】
(第１実施例)
第１実施例の流下式製氷機における製氷ユニットＦＵ１は、全体的な構成は図８および図９に示す従来の製氷ユニットＦＵと同じであり、垂直または略垂直の縦向き姿勢で間隔をあけて対向配置した一対の製氷板１０,１０と、両製氷板１０,１０の対向面間に配設した蒸発管２０と、両製氷板１０,１０の直下に設けられた製氷水タンク２６と、一対の製氷板１０,１０の上方に配置して、製氷水および除氷水を両製氷板１０,１０に供給する散水装置５０とを備えている。そして、第１実施例の製氷ユニットＦＵ１は、散水装置５０を構成する除氷水散水器５２が、従来の製氷ユニットＦＵから変更されている。
【００１９】
第１実施例の製氷ユニットＦＵ１における除氷水散水器５２は、図１〜図４に示すように、製氷板１０の横方向全体に亘って延在する長尺な筒状の中空部材である。この除氷水散水器５２は、製氷板１０の横方向全体に亘る長さの角管状の中空部材であり、両製氷板１０,１０で両側から挟まれる本体部５４と、製氷水供給器３２の下面に当接する上壁部５６とを備えている。そして、除氷水散水器５２の内部には、除氷水が流通可能な流通空間５８が、長さ方向に延在して画成されている。また、本体部５４の長さ方向の一方端部には、外部水道源に接続された給水パイプ４８が連結されて、除氷水を流通空間５８内へ取り込むための取水口(取水部)６０が形成されている。
【００２０】
そして、第１実施例の除氷水散水器５２では、図１〜図４に示すように、本体部５４における長さ方向(横方向)に延在すると共に長さ方向と交差する方向で対向する第１壁部６２および第２壁部６４に、長さ方向の略全長に亘って延在するスリット状の開口６６,６６が形成されている。各開口６６,６６は、長さ方向において上下開口幅が異なるように形成されており、取水口６０に近い側が上下開口幅が最も小さく、該取水口６０から遠ざかるに従って上下開口幅が徐々に大きくなり、該取水口６０から最も遠い側が上下開口幅が最大となっている。
【００２１】
前述のように構成された除氷水散水器５２は、図１および図３に示すように、第１壁部６２を、一方の製氷板１０における各製氷部１４の裏側において該製氷板１０の裏面に密着させると共に、第２壁部６４を、他方の製氷板１０における各製氷部１４の裏側において該製氷板１０の裏面に密着させた状態で、本体部５４が両製氷板１０,１０に固定される。これにより、第１壁部６２に設けた開口６６は、一方の製氷板１０における各突条部１２の裏側に開口して、各突条部１２毎に散水口(散水部)６８を形成している。また、第２壁部６４に設けた開口は、他方の製氷板１０における各突条部１２の裏側に開口して、各突条部１２毎に散水口(散水部)６８を形成している。
【００２２】
各散水口６８は、開口６６が各突条部１２の裏側における開口の横幅Ｗより長く形成されていることで、対応の突条部１２の横幅Ｗと同一の横開口幅で開口している(図５参照)。そして、前述した如く、各開口６６,６６の上下開口幅が長さ方向において異なっていることにより、取水口６０に最も近い位置の突条部１２に向けて開口する散水口６８は、上下開口幅が最も小さいので、その開口面積が最小になっている。そして散水口６８は、取水口６０から遠ざかるに従って開口面積が漸次大きくなっている。
【００２３】
このように、散水口６８の開口面積を異ならせたのは、各散水口６８毎に、噴出される除氷水の水量を均一にするためである。すなわち、取水口６０が除氷水散水器５２における長さ方向の一端に設けられているため、流通空間５８内では該取水口６０に近い側の除氷水の水位が高く、該取水口６０から遠ざかるほど除氷水の水位が低くなる。このため、除氷水の水位が高い取水口６０に近い散水口６８の開口面積を小さくし、除氷水の水位が低い取水口６０から遠い散水口６８の開口面積を大きく設定して、除氷水散水器５２内の水位変化に応じて散水口６８の開口面積を変化させることで、各散水口６８からの除氷水の散水量を均一にすることが可能となる。
【００２４】
従って、第１実施例の製氷ユニットＦＵ１によれば、除氷水散水器５２の各散水口６８から噴出した除氷水が、製氷板１０,１０における突条部１２の裏面１２Ａへ散水されるため、該突条部１２が除氷水により効率よく温められ、製氷部１４で生成された氷塊Ｓの突条部１２に接触した部分と該突条部１２の凍結が早く解除され、製氷板１０からの氷塊Ｓの離脱が促進される。特に、実施例の製氷機は、突条部１２を跨いで横方向に繋がった状態で氷塊Ｓが生成されるから、該氷塊Ｓと突条部１２との凍結を効率よく解除することができ、除氷運転の短縮を可能とし得る。また、除氷水が蒸発管２０の直管部２２に殆ど接触せずに突条部１２の裏面１２Ａを流下するので、ホットガスにより加熱されている該蒸発管２０が除氷水により冷やされず、除氷効率が低下するのを防止し得る。
【００２５】
また、図５に示すように、各散水口６８が、突条部１２の裏側の横幅Ｗの全体に亘って横方向に開口しているので、突条部１２の裏面が散水口６８に臨むようになり、散水口６８から噴出した除氷水が、突条部１２の裏面１２Ａへ表面張力により吸い付けられるようになる。これにより除氷水は、突条部１２の裏面１２Ａの全体に広がりながら該裏面１２Ａを流下するようになり、該突条部１２の全体を均一に温めることができる。また、開口６６が突条部１２の裏側の横幅Ｗより横長に形成されているので、除氷水散水器５２を製氷板１０の裏側に配設した際に、該製氷板１０に対して除氷水散水器５２の配設位置が横方向に多少ずれてしまっても、散水口６８を突条部１２の裏側へ開口させた状態とし得る。
【００２６】
更に、取水口６０に最も近い位置の突条部１２に向け開口する散水口６８の開口面積が最も小さく設定され、該取水口６０から遠ざかるに従って該散水口６８の開口面積が漸次大きくなるよう設定されているので、取水口６０からの距離に関係なく各散水口６８から噴出する除氷水の水量が均一となり、横方向に離間して設けられた各突条部１２を均一に温めることができる。従って、横方向に繋がった状態で各製氷部１４に生成された氷塊Ｓが略同時に製氷板１０から離脱するようになり、氷塊Ｓの除氷が円滑かつ効率よく行なわれる。
【００２７】
(第２実施例)
図６は、第２実施例の製氷ユニットＦＵ２における除氷水散水器７０を概略的に示す正面図である。第２実施例の除氷水散水器７０は、本体部５４および上壁部５６の外形形状、サイズは第１実施例の除氷水散水器５２と同じであり、散水口６８を形成する開口７２,７２の形態を変更したものである。すなわち第２実施例では、図６に示すように、各開口７２,７２が、横方向(除氷水散水器７０の長さ方向)において傾斜状に形成されている。すなわち各開口７２,７２は、当該除氷水散水器７０の底部からの開口高さ位置が、取水口６０に近い側が最も高く、該取水口６０から遠ざかるに従って漸次低くなるように設定されている。
【００２８】
前述のように構成された除氷水散水器７０は、第１実施例で説明したように、第１壁部６２を、一方の製氷板１０における各製氷部１４の裏側において該製氷板１０の裏面に密着させると共に、第２壁部６４を、他方の製氷板１０における各製氷部１４の裏側において該製氷板１０の裏面に密着させた状態で、本体部５４が両製氷板１０,１０に固定される。これにより、第１壁部６２に設けた開口７２は、一方の製氷板１０における各突条部１２の裏側に開口して、各突条部１２毎に散水口(散水部)７４を形成している。また、第２壁部６４に設けた開口７２は、他方の製氷板１０における各突条部１２の裏側に開口して、各突条部１２毎に散水口(散水部)７４を形成している。
【００２９】
各散水口７２は、開口７２が各突条部１２の裏側における開口の横幅Ｗより長く形成されていることで、対応の突条部１２の横幅Ｗと同一の横開口幅で開口している(図５参照)。そして、前述した如く、各開口７２,７２の当該除氷水散水器７０の底部からの開口高さ位置が横方向において異なっていることにより、取水口６０に最も近い位置の突条部１２に開口する散水口７２は、開口高さ位置が最も高く、取水口６０から遠ざかるに従って開口高位置が漸次低くなるように設定されている。従って、除氷水の水位が高い取水口６０に近い散水口７２の開口高さ位置が高く、除氷水の水位が低い取水口６０から遠い散水口７２の開口位置を低く設定したことで、各散水口７２からの除氷水の散水量を均一にすることが可能となる。なお各散水口７２は、底部からの開口高さ位置が異なるが、各々の開口面積は同じである。従って、第２実施例の製氷ユニットＦＵ２は、第１実施例の製氷ユニットＦＵ１と同等の作用効果を奏する。
【００３０】
(変更例)
(１)図７は、開口の変更例を示した説明斜視図である。この変更例は、第１壁部６２および第２壁部６４において、各突条部１２の横方向への配設間隔に合わせて、開口８０を横方向へ一列に断続的に形成したものである。なお、各開口８０の横幅Ｗは、対応する突条部１２の裏側における開口の横幅Ｗより大きく設定してあり、製氷板１０,１０に対する除氷水散水器７０の配設位置が横方向で多少ずれても、該開口８０により形成される散水口６８が突条部１２の横幅Ｗの全体に開口するようになっている。そして、各開口８０により形成された散水口６８は、取水口６０に最も近い位置の突条部１２に開口する散水口６８が上下開口幅が最も小さく設定されて開口面積が最小になっており、取水口６０から遠ざかるに従って散水口６８の上下開口幅が大きく設定されて開口面積が漸次大きくなるように設定されており、前記第１実施例と同等の作用効果が得られる。
(２)また、図７に示す形態においては、各開口８０の上下開口幅を同じにしたもとで、取水口６０に最も近い位置の突条部１２に開口する散水口６８は、当該除氷水散水器７０の底部からの開口高さ位置を最も高く設定し、取水口６０から遠ざかるに従って散水口６８の開口高さ位置を漸次低く設定すれば、前記第２実施例と同等の作用効果が得られる。
(３)前記各開口８０は、対応する突条部１２の横幅Ｗより横幅を小さく設定して、円形や楕円形、または上下方向に延在するスリット等としてもよい。
(４)各実施例では、製氷ユニットとして、一対の製氷板１０,１０を蒸発管２０を挟んで対向配置した構成で説明したが、例えば１枚の製氷板１０の裏面に蒸発管２０を蛇行配置したものであってもよい。
【符号の説明】
【００３１】
１０ 製氷板，１２ 突条部，２０ 蒸発管，５２ 除氷水散水器，６０ 取水口(取水部)
６８ 散水口(散水部)，７０ 除氷水散水器，７４ 散水口(散水部)，Ｓ氷塊，Ｗ横幅
【図１】
2011231943.tif 000003
【図２】
2011231943.tif 000004
【図３】
2011231943.tif 000005
【図４】
2011231943.tif 000006
【図５】
2011231943.tif 000007
【図６】
2011231943.tif 000008
【図７】
2011231943.tif 000009
【図８】
2011231943.tif 000010
【図９】
2011231943.tif 000011